(57)【要約】【課題】  従来の遊動ウキのウキ止め方法は、釣り糸の既定の位置にウキ止め用の粒状物を設けて、ウキを止めたり、中通しウキで、ウキ止め用粒状物を付けないで、釣り糸を自由に移動させ、釣り糸の張りを利用して、仕掛けの深さを調整したりした。これらの方法だと、前者は、仕掛けの深さを変える時、ウキ止め用の粒状物を移動させて仕掛けの深さを調整する為に、一旦、仕掛けを上げなければならなかった。また、後者では、釣り糸に、張りを待たせる技術が必要であったり、重い仕掛けでは、機能を果たせなかったりした。【解決手段】  本ウキ止め装置は、釣り糸を通す開口部の形状を工夫して、ウキ止め用の粒状物よりも大きく開口してあるので、ウキ止め用の粒状物を複数取り付けておけば、仕掛けを沈めたままで、仕掛けの深さを、素早く、簡単に、調整できる。【選択図】図１
2009011305.tif 000002
【特許請求の範囲】
【請求項１】
水中に沈めたまま、釣りの仕掛けを、単独、または複数の水深に固定する事ができる、遊動ウキのウキ止め装置のうちスカートを設けたもの。
【請求項２】
水中に沈めたまま、釣りの仕掛けを、単独、または複数の水深に固定する事ができる、遊動ウキのウキ止め装置のうちスカートを設けないもの。
【発明の詳細な説明】
【技術分野】
【０００１】  本発明は、魚釣り用の遊動ウキのウキ止め方法に関する。
【背景技術】
【０００２】  従来の遊動ウキの、ウキ止め方法は、図５、図６の通りで、釣り糸４は、左側に仕掛け、右側には釣り竿や、釣り竿を介してリールに接続されている。【０００３】  図５が一般的な方法で、７は遊動ウキの保護と、移動を助けるための、シモリウキを示す。釣り糸４に、ウキ止め用ゴム等の粒状物、５を取り付けると、シモリウキや、ウキの開口部が、ウキ止め用粒状物より狭いので、ウキ止め用粒状物で止まり、既定の深さに、仕掛けを固定する。【０００４】  また、全遊動ウキ釣法は、図６の通り、中通しウキで、ウキ止めの粒状物をつけず、釣り糸の移動を自由にしたうえで、釣り糸のウキに対する張りを調整する事で、仕掛けの深さを調節する方法で、魚が食い込んで急激に糸が引かれる時に、糸と、ウキの開口部との抵抗で、ウキが沈む。
【発明の開示】
【発明が解決しようとする課題】
【０００５】  以上に述べた従来の方法のうち、一般的な方法では、魚が遊泳する深さに仕掛けを合わせるためには、一旦、仕掛けを水中から上げて、ウキ止め用粒状物を動かして仕掛けの深さを調整しなければならなかった。【０００６】  全遊動ウキ釣法では、ウキに対する釣り糸の張り加減が難しかったり、仕掛けが重い場合には、全く、対応できなかったりした。【０００７】  本発明は、従来の一般的な方法のように、ウキ止め用粒状物を釣り糸に、取り付けることで、仕掛けを、既定の深さで止めることができ、さらに複数の深さにウキ止め用粒状物を取り付ければ、一度投入した仕掛けを水中から上げることなく、簡単に、複数の深さに仕掛けを沈めたり、浮かせたりすることができるウキ止め方法を目的とする。
【課題を解決するための手段】
【０００８】  本発明は、ウキ止め用粒状物より大きな、ウキ止め装置の開口部に一つ以上の、Ｖ字状の切れ込みを入れる事により、仕掛け投入時、釣り糸は仕掛けの重さに引かれ、開口部のＶ字状の頂点部を滑りながら進み、そして糸に設けた粒状物が、Ｖ字状頂点部に引っかかり停止する事を、原理とする。【０００９】  原理は同じであるが、第１の問題解決手段は、ウキ止め装置の、釣り糸を通す開口部に筒状のスカートを設け、それにＶ字状の切れ込みを入れる方法で、仕掛けの重い場合にもウキ止め効果を発揮する。例として、飛ばしウキでの釣りや、カゴ釣り等に適する。【００１０】  第２の問題解決手段として、開口部に直接Ｖ字状の切れ込みを入れる方法で、仕掛けの軽い場合に適合する、例としては、メバル、グレ、黒鯛等のウキ釣りに適する。
【発明の効果】
【００１１】  上述したように本発明のウキ止め装置は、簡単に、遊動ウキのウキ止めができ、さらに、複数のウキ止め用粒状物をつけることで、その日、その時により変化する魚の遊泳層に、仕掛けを水中から上げることなく、簡単に、浮き沈みさせ、複数の深さに、合わせる事ができる。【００１２】  また、仕掛けの重さの違いにも、対応できるので、多種多様な、魚、ウキ形状、釣り方法に応用ができる。
【発明を実施するための最良の形態】
【００１３】  以下、本発明の実施の形態を図１〜図４に基づいて説明する。【００１４】  図１〜図４において、１は遊動ウキ本体部分で、装置はウキに直結しても、スナップ環等を介してウキに結合しても良い。中通しウキの場合は、開口部に、かぶせるように取り付ける。２はウキ止め装置を正面から見た形状を示し、３は開口部を同じく正面から見た形状を示す。Ｖ字状の切れ込みは、実線で示す通り一箇所以上必要で、２点鎖線で示す切れ込みは、中通しウキなど、遊動ウキの形状によって、追加する。４が釣り糸で、５、６はウキ止め用の粒状物を示す。７はウキ止め装置の、仕掛け側への抜け防止と、装置保護用のシモリウキを示している。図２、において、２Ａは円筒状のスカートを取り付けたウキ止め装置を側面から見た形状を示し、図３、２Ｂは、Ｖ字状の切れ込みが一箇所の場合の側面図である。図４において、２Ｃはスカートを取り付けないウキ止め装置を側面から見た形状を示す。【００１５】  図１〜図４とも、釣り糸の向かって左側に釣り針、重り等の仕掛けが連結されている。右側は釣り竿を連結したり、釣り竿を介し、リールに連結したりする。【００１６】  以下上記構成の動作を説明する。投入された仕掛けの重さに引かれ、釣り糸４は開口部のＶ字状の頂点部に沿って左側に進む。ウキ止め用粒状物５が開口部に達すると、Ｖ字状の頂点部で引っかかり、停止する。仕掛けを深くしたいときは、釣り竿を引いたり、リールを、巻いたりして、糸の緩みを取ると共に振動を与えると、ウキ止め用粒状物５は開口部を越える。次に釣り糸を緩めると、釣り糸４は左側へ進み、次の粒状物６が、開口部に達し、前述と同じように停止し、仕掛けを深い水深へ導く。このとき、シモリウキ７は、粒状物５で止まり、ウキ止め装置の移動を妨げない。【００１７】  仕掛けを浅くしたいときは、リールを巻くと共に、釣り竿を大きく引けば、釣り糸４は大きく右に引かれ、粒状物５は開口部を右に乗り越え、次に糸を緩めると、粒状物５は、再び開口部のＶ字頂点部で引っかかり、停止し、仕掛けは浅くなる。【００１８】  図２、２Ａ、図３、２Ｂのように円筒状のスカートを設けても、図４、２Ｃのようにスカートを設けなくても、正面から見て、図１にある、３の開口部のように、Ｖ字状の切れ込みを持つ形状に仕上げれば、強、弱はあるが、同様のウキ止め効果が得られる。【００１９】  強、弱の違いは、図２、図３、図４、の通り、ウキ止め用粒状物がＶ字状部で止まったとき、仕掛けが繋がる側の釣り糸に対して、スカートを設けた場合は、設けない場合より、深い角度になるため、より強いウキ止め効果を発揮する事に、由来する。【００２０】  スカートを設ける場合はスカート部を加工し、開口形状を作る。スカートを設けたときの側面から見た形状は図２、２Ａのとおりで、Ｖ字状の切れ込みが一箇所の場合、開口部のＶ字頂点部に釣り糸を導きやすいよう、図３、２Ｂのように、円筒部の、Ｖ字状切れ込み側を、短く仕上げる。【００２１】  図４、２Ｃのようにスカートを設けない場合、開口部に、直接Ｖ字状の切れ込みを設ける。この場合、ウキ止め装置の厚みは、ウキ本体の機能を損なわない範囲で、厚くしてもかまわない。【００２２】  本発明の、開口部における、Ｖ字���の形状とは、頂点に向かって、狭くなっていることが必要条件であり、切れ込みの頂点に向かって、図７、１１のような、直線の開口形状だけではなく、図７、１２のような曲線の、開口形状も、本発明に含まれる。【００２３】  また、切れ込みの頂点に向かって、中間地点で広くなっていても、切れ込み頂点に接する部分で、上述の通り、上部が広く、下部が狭くなる構造であれば、本発明に含まれる。
【図面の簡単な説明】
【００２４】
【図１】本発明の実施形態を示すウキ止め装置の正面図
【図２】同ウキ止め装置のスカート設置時の側面図
【図３】同ウキ止め装置のスカート設置時の側面図
【図４】同ウキ止め装置のスカート未設置時の側面図
【図５】従来の遊動ウキ各種の一般的なウキ止め方法図
【図６】全遊動釣法の略図
【図７】本発明のＶ字状開口形状図
【符号の説明】
【００２５】    １    遊動ウキ本体
２    ウキ止め装置本体
２Ａ  スカート設置時のウキ止め装置本体
２Ｂ  スカート設置時、Ｖ字状切れ込みが一箇所の場合の、ウキ止め装置本体
２Ｃ  スカート未設置時のウキ止め装置本体
３    ウキ止め装置の開口形状
４    釣り糸
５    ウキ止め用粒状物
６    ウキ止め用粒状物
７    シモリウキ
８    従来の遊動ウキ
９    スナップ環
１０  全遊動釣法用、遊動ウキ
１１  直線を使ったＶ字状開口形状
１２  曲線を使ったＶ字上開口形状
【図１】
2009011305.tif 000003
【図２】
2009011305.tif 000004
【図３】
2009011305.tif 000005
【図４】
2009011305.tif 000006
【図５】
2009011305.tif 000007
【図６】
2009011305.tif 000008
【図７】
2009011305.tif 000009